(57)【要約】【課題】荷役対象であるコンテナの周囲に載置されている他のコンテナにロープが接触することを抑制できるクレーンを提供する。【解決手段】スプレッダ６の短手方向ｘに沿って間隔を開ける状態でスプレッダ６に一対の下方シーブＳ３を設置して、短手方向ｘに沿って間隔を開ける状態でトロリ５に一対の上方シーブＳ１および一対の第二上方シーブＳ２を設置して、一方の上方シーブＳ１から一方の下方シーブＳ３に延びて上下方向ｚと略平行となる垂直部分Ｒａと一方の下方シーブＳ３から他方の第二上方シーブＳ２に延びる傾斜部分Ｒｂとを有する状態でロープＲを掛け回して、このロープＲが一対の下方シーブＳ３を下端として一対の上方シーブＳ１および一対の第二上方シーブＳ２を上端とする略Ｗ字型を形成する状態とする。【選択図】図２
2020152493.tif 000002
【特許請求の範囲】
【請求項１】
平面視で一対の長辺と一対の短辺とを有する略長方形に形成されていて複数のシーブを設置されるスプレッダと、このスプレッダの上方に配置されていて複数のシーブを設置されるトロリと、前記スプレッダに設置される前記シーブと前記トロリに設置される前記シーブとに掛け回されて前記トロリから前記スプレッダを懸吊するロープとを備えるクレーンにおいて、
前記短辺の延長方向である短手方向に沿って間隔を開ける状態で前記スプレッダに設置される一対の下方シーブと、前記短手方向に沿って間隔を開ける状態で前記トロリに設置される一対の上方シーブおよび一対の第二上方シーブとを備えていて、
一方の前記上方シーブおよび一方の前記第二上方シーブが一方の前記下方シーブの上方に配置されて、他方の前記上方シーブおよび他方の前記第二上方シーブが他方の前記下方シーブの上方に配置される構成を有していて、
前記ロープが、一方の前記上方シーブから一方の前記下方シーブに延びて上下方向に略平行となる垂直部分と、一方の前記下方シーブから他方の前記第二上方シーブに延びる傾斜部分と、他方の前記上方シーブから他方の前記下方シーブに延びて上下方向に略平行となる垂直部分と、他方の前記下方シーブから一方の前記第二上方シーブに延びる傾斜部分とを備えていて、一対の前記下方シーブを下端として一対の前記上方シーブおよび一対の前記第二上方シーブを上端とする略Ｗ字型に前記ロープが掛け回されることを特徴とするクレーン。
【請求項２】
前記短手方向において前記スプレッダの両端部よりも内側となる位置に一対の前記垂直部分が配置される請求項１に記載のクレーン。
【請求項３】
前記短手方向において一対の前記第二上方シーブどうしの間隔よりも一対の前記上方シーブどうしの間隔の方が小さく設定されている請求項１または２に記載のクレーン。
【請求項４】
前記長辺の延長方向である長手方向と前記下方シーブの軸方向とが平行となる状態で一対の前記下方シーブが前記スプレッダに設置される構成を有していて、
一対の前記下方シーブの内側から前記上方シーブに延びる状態で前記垂直部分が配置されていて、
一対の前記下方シーブの外側から前記第二上方シーブに延びる状態で前記傾斜部分が配置される請求項１〜３のいずれかに記載のクレーン。
【発明の詳細な説明】
【技術分野】
【０００１】
本発明は、コンテナを把持可能に構成されるスプレッダとこのスプレッダをロープにより懸吊するトロリとを備えるクレーンに関するものであり、詳しくは荷役対象であるコンテナの周囲に載置されている他のコンテナにロープが接触することを抑制できるクレーンに関するものである。
【背景技術】
【０００２】
水平梁に沿って横行するトロリと、このトロリからロープで懸吊されるスプレッダとを備える門型クレーンが種々提案されている（例えば特許文献１参照）。スプレッダは平面視で略長方形に形成されていて、スプレッダの長手方向はクレーンの走行方向と平行であり、スプレッダの短手方向はクレーンの横行方向と平行となる。
【０００３】
特許文献１は、クレーンの横行方向と平行となる平面において、スプレッダの短手方向の中央部に配置される下方シーブと、トロリの両端に設置される一対の上方シーブとを備えたクレーンを提案する。
【０００４】
特許文献１に記載のクレーンは、短手方向における一対の上方シーブの間隔が、スプレッダの短手方向の長さよりも大きく設定されていた。そのためロープは、下方シーブを下端として一対の上方シーブを上端とする略Ｖ字型に掛け回される状態となっていた。
【０００５】
略Ｖ字型に掛け回されたロープは、短手方向においてスプレッダの両端部よりも外側に大きく広がる構成となっていた。そのため荷役対象となるコンテナの周囲に他のコンテナが高く載置されている場合は、これらのコンテナにロープが接触する可能性があった。ロープの劣化を避けるためにロープとコンテナとの接触は避けることが望ましい。
【先行技術文献】
【特許文献】
【０００６】
【特許文献１】日本国特開２０１３−２０９２１３号公報
【発明の概要】
【発明が解決しようとする課題】
【０００７】
本発明は上記の問題を鑑みてなされたものであり、その目的は荷役対象であるコンテナの周囲に載置されている他のコンテナにロープが接触することを抑制できるクレーンを提供することである。
【課題を解決するための手段】
【０００８】
上記の目的を達成するためのクレーンは、平面視で一対の長辺と一対の短辺とを有する略長方形に形成されていて複数のシーブを設置されるスプレッダと、このスプレッダの上方に配置されていて複数のシーブを設置されるトロリと、前記スプレッダに設置される前記シーブと前記トロリに設置される前記シーブとに掛け回されて前記トロリから前記スプレッダを懸吊するロープとを備えるクレーンにおいて、前記短辺の延長方向である短手方向に沿って間隔を開ける状態で前記スプレッダに設置される一対の下方シーブと、前記短手方向に沿って間隔を開ける状態で前記トロリに設置される一対の上方シーブおよび一対の第二上方シーブとを備えていて、一方の前記上方シーブおよび一方の前記第二上方シーブが一方の前記下方シーブの上方に配置されて、他方の前記上方シーブおよび他方の前記第二上方シーブが他方の前記下方シーブの上方に配置される構成を有していて、前記ロープが、一方の前記上方シーブから一方の前記下方シーブに延びて上下方向に略平行となる
垂直部分と、一方の前記下方シーブから他方の前記第二上方シーブに延びる傾斜部分と、他方の前記上方シーブから他方の前記下方シーブに延びて上下方向に略平行となる垂直部分と、他方の前記下方シーブから一方の前記第二上方シーブに延びる傾斜部分とを備えていて、一対の前記下方シーブを下端として一対の前記上方シーブおよび一対の前記第二上方シーブを上端とする略Ｗ字型に前記ロープが掛け回されることを特徴とする。
【発明の効果】
【０００９】
本発明によれば、垂直部分が上下方向ｚに略平行に配置されているため、スプレッダを降下させた場合であっても、一対の垂直部分が短手方向に大きく広がることがない。荷役対象であるコンテナの周囲に載置されている他のコンテナにロープが接触することを抑制できる。
【図面の簡単な説明】
【００１０】
【図１】本発明のクレーンを斜視で例示する説明図である。
【図２】スプレッダの短手方向に沿って掛け回されるロープの状態を例示する説明図である。
【図３】図２のロープの状態を拡大して例示する説明図である。
【図４】本発明のクレーンの荷役作業時の状態を例示する説明図である。
【図５】スプレッダの短手方向に沿って掛け回される従来のロープの状態を例示する説明図である。
【図６】図３および図５に例示するロープの状態を比較して例示する説明図である。
【図７】図５に例示するクレーンの荷役作業時の状態を例示する説明図である。
【図８】図３に例示するロープの状態の変形例を例示する説明図である。
【図９】図３に例示するロープの状態の変形例を例示する説明図である。
【発明を実施するための形態】
【００１１】
以下、本発明のクレーンを図に示した実施形態に基づいて説明する。図中では平面視で略長方形に形成されるスプレッダの長手方向を矢印ｙ、この長手方向ｙを直角に横断する短手方向を矢印ｘ、上下方向を矢印ｚで示している。
【００１２】
図１に例示するように本発明のクレーン１は例えば門型クレーンで構成される。本発明のクレーン１は門型クレーンに限らず、岸壁クレーンで構成してもよい。この実施形態のクレーン１は、水平方向に延設される水平梁２と、この水平梁２の両端から下方に向かって延設される脚部３と、脚部３の下端に設置される走行装置４とを備えている。走行装置４はタイヤまたは車輪を備えている。
【００１３】
このクレーン１は、水平梁２に沿って横行可能に構成されるトロリ５と、このトロリ５の下方に配置されてコンテナＣの荷役を行うスプレッダ６とを備えている。トロリ５とスプレッダ６は複数のシーブを備えている。この複数のシーブにはロープＲが掛け回されている。このロープＲにより、スプレッダ６はトロリ５から懸吊されている。スプレッダ６は、平面視で一対の長辺と一対の短辺とを有する略長方形に形成されている。スプレッダ６の長辺の延長方向である長手方向ｙがクレーン１の走行方向と平行であり、短辺の延長方向である短手方向ｘがクレーン１の横行方向と平行となる状態にスプレッダ６は配置されている。この実施形態ではロープＲを巻装するドラム７がトロリ５に設置されている。
【００１４】
クレーン１は走行装置４により走行方向（長手方向ｙ）に沿って走行して、荷役対象であるコンテナＣが載置されている位置まで移動する。トロリ５は横行方向（短手方向ｘ）に沿って横行してコンテナＣの真上となる位置まで移動する。トロリ５はたとえばモータなどの駆動機構により水平梁２の上を走行する。ドラム７からロープＲを繰り出すことでスプレッダ６は降下して、スプレッダ６は目的のコンテナＣの上面と接触した後コンテナ
Ｃを把持する。ドラム７でロープＲを巻き取ることで、コンテナＣはクレーン１により持ち上げられる。
【００１５】
図２に例示するようにトロリ５は、短手方向ｘに沿って間隔を開ける状態で設置される一対の上方シーブＳ１および一対の第二上方シーブＳ２を備えている。スプレッダ６は短手方向ｘに沿って間隔を開ける状態で設置される一対の下方シーブＳ３を備えている。この実施形態では一対の下方シーブＳ３は、短手方向ｘにおいてスプレッダ６の両端となる位置にそれぞれ配置されている。
【００１６】
図２の左方側に配置されている上方シーブＳ１および第二上方シーブＳ２が、図２の左方側に配置されている下方シーブＳ３の上方に配置されている。同様に図２の右方側に配置されている上方シーブＳ１および第二上方シーブＳ２が、図２の右方側に配置されている下方シーブＳ３の上方に配置されている。つまり一方の下方シーブＳ３の上方に一方の上方シーブＳ１および第二上方シーブＳ２が配置されていて、他方の下方シーブＳ３の上方に他方の上方シーブＳ１および第二上方シーブＳ２が配置されている。以下、上方シーブＳ１、第二上方シーブＳ２および下方シーブＳ３を総称してシーブＳということがある。
【００１７】
図２の実施形態において例えば上方シーブＳ１などのシーブＳは軸方向が長手方向ｙとなる状態で配置されている。シーブＳを配置する際のシーブＳの軸方向は上記に限定されない。シーブＳを配置する際には、ロープＲの延びる方向などに応じてシーブＳの軸方向を適宜決定することができる。
【００１８】
短手方向ｘにおける一対の上方シーブＳ１の間隔をＨ１、一対の第二上方シーブＳ２の間隔をＨ２で示している。本明細書において上方シーブＳ１の間隔Ｈ１とは、短手方向ｘにおいて一対の上方シーブＳ１が互いに対向する端面どうしの間隔をいう。また第二上方シーブＳ２の間隔Ｈ２とは、短手方向ｘにおいて一対の第二上方シーブＳ２が互いに対向する端面どうしの間隔をいう。図２では説明のため水平梁２などのクレーン１の構造の一部を省略している。
【００１９】
この実施形態ではドラム７から繰り出されるロープＲが図２の左方側（一方）の上方シーブＳ１から左方側（一方）の下方シーブＳ３を経由して右方側（他方）の第二上方シーブＳ２に掛け回されている。図２では説明のためこのロープＲを実線で示している。またロープＲが図２の右方側（他方）の上方シーブＳ１から右方側（他方）の下方シーブＳ３を経由して左方側（一方）の第二上方シーブＳ２に掛け回されている。図２では説明のためこのロープＲを一点鎖線で示している。一対の下方シーブＳ３を下端として、一対の上方シーブＳ１および一対の第二上方シーブＳ２を上端とする略Ｗ字型にロープＲが掛け回されている。
【００２０】
スプレッダ６の短手方向ｘに沿って略Ｗ字型に掛け回されるロープＲは、一方の上方シーブＳ１から一方の下方シーブＳ３に延びる垂直部分Ｒａ１と、他方の上方シーブＳ１から他方の下方シーブＳ３に延びる垂直部分Ｒａ２とを有している。以下、垂直部分Ｒａ１および垂直部分Ｒａ２を総称して垂直部分Ｒａということがある。この実施形態ではロープＲの垂直部分Ｒａが、一対の上方シーブＳ１の内側から一対の下方シーブＳ３の外側に向かって張設されている。
【００２１】
図３に例示するように垂直部分Ｒａは上下方向ｚと略平行となる状態に設定されている。具体的には上方シーブＳ１とその下方に配置される下方シーブＳ３との短手方向ｘにおける相対位置により垂直部分Ｒａの傾きを決定することができる。上下方向ｚに対する垂直部分Ｒａの傾きθａは、トロリ５とスプレッダ６との上下方向ｚにおける間隔で変化する。スプレッダ６が最も高くなる位置まで巻き上げられたときに、垂直部分Ｒａの傾きθａの絶対値は最大となり、スプレッダ６が降下してその位置が低くなるほど傾きθａの絶対値は小さくなる。
【００２２】
本発明において垂直部分Ｒａが上下方向ｚと略平行となる状態とは、傾きθａの絶対値が３度以下、望ましくは１度以下となる状態をいう。つまり傾きθａの値の範囲が−３度〜＋３度の範囲、望ましくは−１度〜＋１度の範囲となる。ここで傾きθａの値がプラスの場合は一対の垂直部分Ｒａ１、Ｒａ２が上方から下方にかけて互いに接近する方向の傾きとなり、マイナスの場合は一対の垂直部分Ｒａ１、Ｒａ２が上方から下方にかけて互いに離間する方向の傾きとなる。この傾きθａの絶対値の最大値は、上方シーブＳ１および下方シーブＳ３の設置位置により決定される。
【００２３】
スプレッダ６の短手方向ｘに沿って略Ｗ字型に掛け回されるロープＲは、一方の下方シーブＳ３から他方の第二上方シーブＳ２に延びる傾斜部分Ｒｂ１と、他方の下方シーブＳ３から一方の第二上方シーブＳ２に延びる傾斜部分Ｒｂ２とを有している。以下、傾斜部分Ｒｂ１および傾斜部分Ｒｂ２を総称して傾斜部分Ｒｂということがある。この実施形態ではロープＲの傾斜部分Ｒｂが、一対の下方シーブＳ３の内側から一対の第二上方シーブＳ２の内側に向かって張設されている。
【００２４】
図３に例示するように傾斜部分Ｒｂは上下方向ｚに対して所定の傾きθｂを有する状態に設定されている。具体的には傾斜部分Ｒｂの一端に配置される下方シーブＳ３と他端に配置される第二上方シーブＳ２との短手方向ｘにおける相対位置により傾斜部分Ｒｂの傾きθｂを決定することができる。スプレッダ６が最も高くなる位置まで巻き上げられたとき、傾斜部分Ｒｂの傾きθｂの絶対値は最大となり、スプレッダ６が降下してその位置が低くなるほど傾きθｂの絶対値は小さくなる。
【００２５】
スプレッダ６の短手方向ｘに沿って略Ｗ字型に掛け回されるロープＲには、一対の下方シーブＳ３を介してコンテナＣの荷重が発生する。一方の下方シーブＳ３から他方の第二上方シーブＳ２に延びるロープＲの傾斜部分Ｒｂ１と、他方の下方シーブＳ３から一方の第二上方シーブＳ２に延びるロープＲの傾斜部分Ｒｂ２とには、それぞれの下方シーブＳ３に向かって引っ張られる方向の力が発生する。傾斜部分Ｒｂ１、Ｒｂ２に発生する張力は、短手方向ｘに沿った分力Ｆ１、Ｆ２をそれぞれ発生させる。
【００２６】
分力Ｆ１、Ｆ２は傾斜部分Ｒｂ１、Ｒｂ２を互いに接近させる内側に向かって発生して、互いに打ち消し合う。この分力Ｆ１、Ｆ２によりスプレッダ６は短手方向ｘの両側から中心に向かって押さえられている状態となるので、スプレッダ６が短手方向ｘに沿って振れることを抑制するには有利である。つまり傾斜部分Ｒｂ１、Ｒｂ２によりスプレッダ６は振れ止めの効果を得ることができる。
【００２７】
図４に例示するようにコンテナヤードでは複数のコンテナＣが複数段積み上げられていることがある。荷役対象であるコンテナＣの隣接する列に他のコンテナＣが高く積み上げられている場合がある。図４では説明のためクレーン１の水平梁２および脚部３を破線で示している。
【００２８】
この実施形態のクレーン１は、垂直部分Ｒａが上下方向ｚに略平行に配置されているため、スプレッダ６を降下させた場合であっても、一対の垂直部分Ｒａが短手方向ｘに大きく広がることがない。荷役対象であるコンテナＣの周囲に載置されている他のコンテナＣにロープＲを接触させることなくクレーン１は荷役作業を行うことができる。ロープＲの劣化を抑制するには有利である。
【００２９】
なお本発明において一対の垂直部分Ｒａの少なくとも一部が、短手方向ｘにおいてスプレッダ６の両端部より外側に位置してもよい。短手方向ｘに並べられるコンテナＣどうしは所定の間隔を開けて載置されるため、スプレッダ６の両端部より外側に垂直部分Ｒａが位置していても、隣接するコンテナＣと垂直部分Ｒａが接触しない状態とすることは可能である。
【００３０】
近年コンテナヤードにおいてコンテナＣの載置効率を向上させるために、コンテナＣを積み上げる段数が増加している。このような場合であってもクレーン１は、周囲のコンテナＣにロープＲを接触させることなく荷役作業を行うことができる。
【００３１】
クレーン１は、短手方向ｘにおいてスプレッダ６の一方側からトロリ５の他方側に向かって傾斜部分Ｒｂが延びる構成を有している。そのため上下方向ｚに対する傾斜部分Ｒｂの傾きθｂを比較的大きくすることができる。傾きθｂが大きいほど分力Ｆ１、Ｆ２を大きくできるので、スプレッダ６の振れ止め効果を向上するには有利である。
【００３２】
傾斜部分Ｒｂの傾きθｂを比較的大きくすることができるので、短手方向ｘにおいて一対の第二上方シーブＳ２の間隔Ｈ２を比較的小さくすることができる。これにともない短手方向ｘにおけるトロリ５の長さを小さくできるので、トロリ５を小型化するには有利である。
【００３３】
図２に例示するように短手方向ｘにおける一対の上方シーブＳ１の間隔Ｈ１よりも、一対の第二上方シーブＳ２の間隔Ｈ２の方が大きく設定することが望ましい。傾斜部分Ｒｂの傾きθｂを大きくして、振れ止め効果を向上するには有利である。
【００３４】
図５に例示するように従来のクレーンは、短手方向ｘにおいてスプレッダ６の中心部となる位置に一つの下方シーブＳ３が設置されていて、トロリ５の短手方向ｘに沿って間隔を開ける状態で一対の第二上方シーブＳ２が設置されていた。ドラム７から繰り出されるロープＲが、一方の第二上方シーブＳ２から下方シーブＳ３を経由して他方の第二上方シーブＳ２に掛け回されていた。従来のクレーンは、ロープＲが一つの下方シーブＳ３を下端として一対の第二上方シーブＳ２を上端とする略Ｖ字型に掛け回されていた。
【００３５】
下方シーブＳ３からそれぞれの第二上方シーブＳ２に延びる傾斜部分Ｒｂ１、Ｒｂ２には、短手方向ｘに沿った分力Ｆ１、Ｆ２がそれぞれ発生する。分力Ｆ１、Ｆ２は傾斜部分Ｒｂ１、Ｒｂ２を互いに接近させる内側に向かって発生して、互いに打ち消し合う。この分力Ｆ１、Ｆ２によりスプレッダ６は短手方向ｘの両側から中心に向かって押し付けられる状態となるので、スプレッダ６が短手方向ｘに沿って振れることを抑制できていた。
【００３６】
図６の左方に例示するように従来のクレーンの傾斜部分Ｒｂは、短手方向ｘにおけるスプレッダ６の中央からトロリ５の両側に向かって延びている。そのため上下方向ｚに対する傾斜部分Ｒｂの傾きθｂを大きくして振れ止め効果を向上するには、一対の第二上方シーブＳ２の間隔Ｈ２を大きくする必要があった。
【００３７】
これに対して図６の右方に例示するように本発明のクレーン１の傾斜部分Ｒｂは、短手方向ｘにおいてスプレッダ６の一方側からトロリ５の他方側に向かって延びている。そのため傾斜部分Ｒｂの傾きθｂを従来と同じ大きさとして振れ止め効果を同程度としても、本発明のクレーン１は一対の第二上方シーブＳ２の間隔Ｈ２を従来よりも小さくできる。トロリ５を小型化するには有利である。図６では説明のため図６の左方と右方のいずれにおいても傾きθｂの大きさが等しくなる状態で図示されている。
【００３８】
図７に例示するように従来のクレーンのスプレッダ６を降下させると、トロリ５からス
プレッダ６に延びる一対のロープＲが短手方向ｘに広がる。荷役対象であるコンテナＣの周囲に載置されている他のコンテナＣにロープＲが接触する不具合があった。コンテナＣを積み上げる段数が増えて積み上げられるコンテナＣが高くなるほど、周囲のコンテナＣにロープＲが接触しやすかった。
【００３９】
従来のクレーンにおいて一対の第二上方シーブＳ２の間隔Ｈ２を小さくすればロープＲが短手方向ｘに広がることを抑制できるが、間隔Ｈ２を小さくするほど傾斜部分Ｒｂの傾きθｂが小さくなり振れ止め効果が低下する不具合がある。
【００４０】
これに対して本発明のクレーン１は、振れ止め効果を低下させることなく、ロープＲが周囲のコンテナＣに接触することを抑制できる。
【００４１】
図８に例示するように上方シーブＳ１から一対の下方シーブＳ３の内側に向かってロープＲの垂直部分Ｒａが配置される構成にしてもよい。上方シーブＳ１から下方シーブＳ３の内側に延びるロープＲは、下方シーブＳ３の外側から第二上方シーブＳ２に向かって掛け回される。本明細書において一対の下方シーブＳ３の内側とは、短手方向ｘに沿って並べて配置される一対の下方シーブＳ３どうしが対向する側をいう。また一対の下方シーブＳ３の外側とは、短手方向ｘにおいて一対の下方シーブＳ３どうしが対向する側とは別の側をいう。
【００４２】
この実施形態では上方シーブＳ１は軸方向が短手方向ｘとなる状態で配置されている。第二上方シーブＳ２は軸方向が短手方向ｘから上下方向ｚに傾いた状態で配置されている。また下方シーブＳ３は軸方向が長手方向ｙとなる状態で配置されている。
【００４３】
この実施形態の垂直部分Ｒａは、一対の下方シーブＳ３の内側に配置される。つまり短手方向ｘにおいてスプレッダ６の両端部よりも内側となる位置に一対の垂直部分Ｒａが配置される構成となる。本明細書において垂直部分Ｒａがスプレッダ６の両端部よりも内側となる位置とは、垂直部分Ｒａの下端から上端にかけて全体が、短手方向ｘにおいてスプレッダ６の両端部より常に内側となる位置をいう。
【００４４】
荷役対象のコンテナＣの周囲に載置されているコンテナＣに垂直部分Ｒａが接触する可能性をさらに低下させることができる。また短手方向ｘにおける一対の上方シーブＳ１の間隔Ｈ１を図２に例示する実施形態よりも小さくすることができる。そのためトロリ５を小型化するには有利である。
【００４５】
下方シーブＳ３から第二上方シーブＳ２に延びる傾斜部分Ｒｂは、一対の下方シーブＳ３の外側から第二上方シーブＳ２に向かって延びる状態となる。そのため図２に例示する実施形態と比べて上下方向ｚに対する傾斜部分Ｒｂの傾きθｂをより大きくしやすくなる。スプレッダ６の振れ止め効果を向上させるには有利である。
【００４６】
また傾斜部分Ｒｂの傾きθｂの大きさを維持しつつ、短手方向ｘにおいて一対の第二上方シーブＳ２の間隔Ｈ２を狭く配置することが可能となる。図８に例示する実施形態では第二上方シーブＳ２の間隔Ｈ２は、第一上方シーブＳ１の間隔Ｈ１より小さくなる状態に設定されている。トロリ５を小型化するには有利である。
【００４７】
図９に例示するように一対の上方シーブＳ１の内側から一対の下方シーブＳ３の内側に向かってロープＲの垂直部分Ｒａが配置される構成にしてもよい。また一対の下方シーブＳ３の外側から一対の第二上方シーブＳ２の外側に向かってロープＲの傾斜部分Ｒｂが配置される構成にしてもよい。この実施形態では上方シーブＳ１、第二上方シーブＳ２および下方シーブＳ３のいずれも軸方向が長手方向ｙとなる状態で配置されている。
【００４８】
下方シーブＳ３から第二上方シーブＳ２に延びる傾斜部分Ｒｂは、一対の下方シーブＳ３の外側から一対の第二上方シーブＳ２の外側に向かって延びる状態となる。そのため図８に例示する実施形態と比べて上下方向ｚに対する傾斜部分Ｒｂの傾きθｂをさらに大きくし易くなる。スプレッダ６の振れ止め効果を向上させるにはさらに有利である。
【符号の説明】
【００４９】
１     クレーン
２     水平梁
３     脚部
４     走行装置
５     トロリ
６     スプレッダ
７     ドラム
ｘ     短手方向
ｙ     長手方向
ｚ     上下方向
Ｒ     ロープ
Ｒａ、Ｒａ１、Ｒａ２ 垂直部分
Ｒｂ、Ｒｂ１、Ｒｂ２ 傾斜部分
θａ   （垂直部分Ｒａの）傾き
θｂ   （傾斜部分Ｒｂの）傾き
Ｃ     コンテナ
Ｓ     シーブ
Ｓ１   上方シーブ
Ｓ２   第二上方シーブ
Ｓ３   下方シーブ
Ｆ１、Ｆ２    分力
Ｈ１   （一対の上方シーブの）間隔
Ｈ２   （一対の第二上方シーブの）間隔
【図１】
2020152493.tif 000003
【図２】
2020152493.tif 000004
【図３】
2020152493.tif 000005
【図４】
2020152493.tif 000006
【図５】
2020152493.tif 000007
【図６】
2020152493.tif 000008
【図７】
2020152493.tif 000009
【図８】
2020152493.tif 000010
【図９】
2020152493.tif 000011